(57)【要約】【課題】マイナスイオンの持つ効能効果と磁石の持つ効能効果をより多く引き出し、足の血流を良くして、足のむくみや疲労感を除去する。【解決手段】  履き物の中敷として用いられる素材２に、マイナスイオン発生微粉末材からなるマイナスイオン発生ドット８を、複数行にわたり直線方向に一定間隔おきに塗着する。マイナスイオン発生ドット８の間隔のあいた所には各行にマイナスイオンと磁気が交互に生成されるようにドット状に微粉末永久磁石からなる磁気発生ドット１０を塗着し、素材２にマイナスイオン発生ドット８と磁気発生ドット１０とからなるドットマトリックスを形成する。素材２にはこれを履き物に貼り付けるための接着面を形成し、これに剥離紙１２を脱着自在に接着する。【選択図】図１
2006129989.tif 000002
【特許請求の範囲】
【請求項１】
靴、スリッパ、サンダルなどの履き物に合うように裁断された素材２と、マイナスイオン発生微粉末材からなりベース２上に複数行にわたり直線方向に一定間隔おきにドット状に塗着されたマイナスイオン発生ドット８と、微粉末永久磁石からなり前記各行のマイナスイオン発生ドット８の間隔のあいた所に前記各行にマイナスイオンと磁気が交互に生成されるようにドット状に塗着された磁気発生ドット１０とからなることを特徴とする履き物の中敷。
【請求項２】
前記素材２の底面に接着層４を設け、該接着層４に剥離紙６を接着したことを特徴とする請求項１に記載の履き物の中敷。
【請求項３】
前記マイナスイオン発生ドット８と、磁気発生ドット１０とを印刷手段により前記素材２上にプリントしたことを特徴とする請求項１に記載の履き物の中敷。
【発明の詳細な説明】
【技術分野】
【０００１】
本発明は、足の冷え症、打撲、捻挫などの治療に用いられる履き物の中敷に関する。
【背景技術】
【０００２】
マイナスイオンは、人体に作用して組織全体を弱アルカリ性に保ち、体内の新陳代謝を活発にして自律神経の働きを正常にすると言われ、これにより、疲労感がとれ、健康を回復させるという点で、近時、注目を浴びている。また、従来、人体の皮膚に貼付することにより不具合状態の治療を行う貼付用治療具として、粘着シートの中央部に永久磁石粒を粘着固定した貼付用磁気治療具が従来知られている。また、永久磁石で構成した基材の表面にマイナスイオン生成物質の粉状体もしくは粒状体を粘着させた人体貼付用治療具が従来知られている（例えば特許文献１参照）。また、靴の中敷に磁性体又はマイナスイオンを発生するアルミニウム金属を取り付けた靴が従来知られている（例えば特許文献２参照）。また、マイナスイオンや磁気を発生する靴の中敷が従来知られている（例えば特許文献３参照）。
【特許文献１】特開２００１−２１８７９０号公報
【特許文献２】特開２００２−２２３８０３号公報
【特許文献３】登録第３１０４１４８号実用新案公報
【発明の開示】
【発明が解決しようとする課題】
【０００３】
人間は直立して歩行するために、体内の血液が引力の関係で心臓から一番離れた足先に滞留して足がむくんだり、重くなったり、疲労感を感じたりする。血流が滞留することで足が冷える。これをそのままにしておくと、病気になったり、体調を崩すことになる。マイナスイオン発生微粉末鉱石は目に見えない波長や波動が体内の細胞を活性化し血流を促進させる作用がある。また、微粉末永久磁石も目に見えない磁場により体内の血流を促進する作用がある。履き物の中敷に二種類の鉱物を配置することで、この二種類の鉱物が目に見えない波長、波動や磁場を出すことにより血流が足先や足裏に滞留することなくスムーズに流れ足を冷えから守り健康な体に導くことができる。
【０００４】
従来の、二種類のマイナスイオンと磁気を発生する鉱物を配置した中敷は、特許文献３に示すように、マイナスイオンシートに磁石が部分的に配置されたものであり、マイナスイオンと磁気のエネルギーが均一に発生する配置とはなっていない。そのため、磁気とマイナスイオンの分布が偏り、マイナスイオンと磁気の効能を相乗的に効率良く引き出すことができない。
本発明は上記問題点を解決することを目的とするものである。
【課題を解決するための手段】
【０００５】
上記目的を達成するため本発明は、靴、スリッパ、サンダルなどの履き物に合うように裁断された素材２と、マイナスイオン発生微粉末材からなりベース２上に複数行にわたり直線方向に一定間隔おきにドット状に塗着されたマイナスイオン発生ドット８と、微粉末永久磁石からなり前記各行のマイナスイオン発生ドット８の間隔のあいた所に前記各行にマイナスイオンと磁気が交互に生成されるようにドット状に塗着された磁気発生ドット１０とからなることを特徴とするものである。
また本発明は、前記素材２の底面に接着層４を設け、該接着層４に剥離紙６を接着したことを特徴とするものである。
また本発明は、前記マイナスイオン発生ドット８と、磁気発生ドット１０とを印刷手段により前記素材２上にプリントしたことを特徴とするものである。
【発明の効果】
【０００６】
本発明は、中敷のほぼ全域にわたって、マイナスイオンと磁気を均一に発生させることができ、二種類の鉱物の効能効果を相乗的に発揮させることができる。
【発明を実施するための最良の形態】
【０００７】
以下に本発明の実施の形態を添付した図面を参照して詳細に説明する。
まず、皮、合成樹皮、合成樹脂、布等の履き物の中敷となる材料を素材２として準備する。この素材２の裏面には、接着剤からなる接着層４が形成され、この接着層４に剥離紙６が接着されている。次に、素材２に、一定間隔おきにドット状にマイナスイオン発生微粉鉱石を、印刷手段（図示省略）又は、適宜な塗着手段（図示省略）を用いて、縦方向に複数プリントあるいは塗着し、この動作を所定量改行方向にずらしながら繰り返し、全体として、マトリックス状に、マイナスイオン発生微粉鉱石からなるマイナスイオン発生ドット８を素材２上にプリントあるいは塗着する。
【０００８】
次に、マイナスイオン発生ドット８の間隔の空いた所に微粉末永久磁石を印刷手段あるいは適宜な塗着手段を使用してドット状にプリントあるいは塗着し、素材２に磁気発生ドット１０を形成する。前記微粉末永久磁石はマイクロカプセル化したフェライト磁石等を用いても良い。次に素材２を剥離紙６とともに中敷の形状に裁断し中敷１２とする。この中敷１２は履き物の大きさに合わせて小さく切断するのに便利なように、数種類の寸法に対応した点線の切取線１４が描かれている。
【０００９】
ユーザは、中敷１２を、履き物の寸法に合わせて、所望の切取線１４に沿ってハサミで切り、中敷１２の寸法を調整する。中敷１２は、サンダル、スリッパ等の履き物に簡単に取り付けることができるように、その底面に接着層４が形成され、それに剥離紙６が剥離自在に接着されているが、靴用の中敷の場合には、図２に示すように、接着層や剥離紙を設けなくともよい。図２は接着層を設けない中敷の製造工程を示し、図１に示す、接着層付きの中敷の製造工程とほぼ同一である。
【００１０】
上記中敷１２を使用するときは、素材２から剥離紙を剥がし、中敷１２をサンダルやスリッパなどに貼り付ける。靴底用の、接着層のない中敷１２は、そのまま、靴底に挿入配置する。中敷１２からは、全体にわたって、交互にマトリックス状に配置されたマイナスイオンと磁気が均一に現れ、これらの波長や波動及び磁場が足の裏の細胞を活性化し、血流を効率的に促進させる。
【図面の簡単な説明】
【００１１】
【図１】本発明の説明図である。
【図２】本発明の他の実施形態の説明図である。
【符号の説明】
【００１２】
２      素材  
４      接着層
６      剥離紙
８      マイナスイオン発生ドット
１０    磁気発生ドット
１２    中敷
１４    切取線
【図１】
2006129989.tif 000003
【図２】
2006129989.tif 000004